(57)【特許請求の範囲】
【請求項１】
物品キャリヤであって、
上部パネル及び底部パネルに折曲げ線を介して接続されている、対向している側部パネルであって、底部パネルは上部パネルよりも長く且つ幅広である、ものと、
側部パネルの両端部に接続されている防塵フラップと、上部パネルの両端部に接続されている上側端部パネルフラップと、底部パネルの両端部に接続されている下側端部パネルフラップとを含む、対向している端部パネルであって、各端部パネルは、対向し且つ折り曲げられた防塵フラップに接着されている、上側端部パネルフラップと下側端部パネルフラップとで構成されている、ものと、
を具備し、
側部パネル及び端部パネルは、上部パネルまで延在する、内方にテーパーを付された上側部分を有しており、
各防塵フラップは、上側セクションと下側セクションとで構成されており、上側防塵フラップセクションは、それと結び付いている側部パネルのテーパーを付された部分に折曲げ線を介して接続されており、
各上側防塵フラップセクションは、それと結び付いている側部パネルから延出している下縁部を有していると共に、各下側防塵フラップセクションは、それと結び付いている側部パネルから延出している上縁部を有しており、
上側防塵フラップセクションの下縁部は、それと結び付いている下側防塵フラップセクションに隣接しているが、それから分離している、
物品キャリヤ。
【請求項２】
各上側防塵フラップセクションの下縁部が、それと結び付いている下側防塵フラップセクションの上縁部に対して下方に傾けられており、且つ、前記下縁部の少なくとも一部が、それと結び付いている下側防塵フラップセクションの背後に位置している請求項１に記載の物品キャリヤ。
【請求項３】
下側防塵フラップセクションが、それと結び付いている側部パネルの湾曲した延長部からなり、底部パネルは、前記湾曲した延長部の下方に、湾曲したコーナー部を有する請求項１に記載の物品キャリヤ。
【請求項４】
下側防塵フラップセクションが、面取りパネルを含んでおり、底部パネルは、前記面取りパネルの下方に、斜めのコーナー部を有する請求項１に記載の物品キャリヤ。
【請求項５】
各側部パネルの、内方にテーパーを付された部分が、切込み線であって上部パネルを側部パネルに接続する折曲げ線に実質的に平行に延在するものを介し、側部パネルに接続されている請求項１に記載の物品キャリヤ。
【請求項６】
上部パネルが、上層と下層とで構成されており、各層は、整合させられている取手開口部を含んでいる請求項１に記載の物品キャリヤ。
【請求項７】
上部パネルの下層が、上側端部パネルフラップに接着される端部接着フラップを含んでいる請求項６に記載の物品キャリヤ。
【請求項８】
各上側防塵フラップセクションが、斜めの中間折曲げ線であって、上側防塵フラップセクションをそれと結び付いている側部パネルのテーパーを付された部分に接続する折曲げ線に隣接する地点から、前記接続する折曲げ線から離隔した地点まで下方に延在するものを含んでいる請求項１に記載の物品キャリヤ。
【請求項９】
各上側防塵フラップセクションが、その下縁部から離隔させられているストラップ部を含んでおり、ストラップ部は、下側防塵フラップセクションに第１のストラップ折曲げ線を介して接続されている請求項１に記載の物品キャリヤ。
【請求項１０】
各上側防塵フラップセクションのストラップ部が、前記セクションの下縁部から欠切部を介して離隔させられている請求項９に記載の物品キャリヤ。
【請求項１１】
ストラップ部が、上側防塵フラップセクションに第２のストラップ折曲げ線を介して接続されており、ストラップ部は、第１のストラップ折曲げ線と第２のストラップ折曲げ線との中間の第３のストラップ折曲げ線を含んでいる請求項９に記載の物品キャリヤ。
【請求項１２】
第１のストラップ折曲げ線と第３のストラップ折曲げ線との間のストラップ部が、それと結び付いている下側防塵フラップセクションの背後にあり且つそれに実質的に当接している請求項１１に記載の物品キャリヤ。
【請求項１３】
物品キャリヤであって、
上部パネル及び底部パネルに折曲げ線を介して接続されている、対向している側部パネルと、
対向している端部パネルであって、上部パネルの両端部に接続されている上側端部パネルフラップと、底部パネルの両端部に接続されている下側端部パネルフラップとを含んでいるものと、
を具備し、
上部パネルは、上層と下層とで構成されており、
上部パネルの下層が、上側端部パネルフラップに接着されている端部接着フラップを含んでいる、
物品キャリヤ。
【請求項１４】
物品キャリヤを形成するためのブランクであって、
対向している側部パネルセクションに折曲げ線を介して接続されている底部パネルセクション、
を具備しており、
側部パネルセクションのうちの一方は、接着フラップに折曲げ線を介して接続されていると共に、反対側の側部パネルセクションは、上部パネルフラップに折曲げ線を介して接続されており、底部パネルセクションは、上部パネルフラップよりも長く且つ幅広であり、
物品キャリヤは、
上部パネルフラップの両端部に折曲げ線を介して接続されている上側端部パネルフラップと、底部パネルセクションの両端部に折曲げ線を介して接続されている下側端部パネルフラップと、
側部パネルセクションの両端部に接続されている防塵フラップであって、各防塵フラップは、上側セクションと下側セクションとで構成されており、各上側防塵フラップセクションは、それと結び付いている側部パネルに、内方に傾いている折曲げ線を介して接続されている、ものと、
を更に具備しており、
各上側防塵フラップセクションは、接続されていない縁部であってそれと結び付いている側部パネルセクションから延出しているものを有しており、且つ、各下側防塵フラップセクションは、隣接する、接続されていない縁部であってそれと結び付いている側部パネルから延出しているものを有している、
ブランク。
【請求項１５】
側部パネルセクションのうちの一方に接続されている接着フラップが、上部パネルセクションの幅と実質的に同じ大きさの幅を有する上部パネル補強フラップであり、各上部パネル補強フラップは、ブランクから形成されるキャリヤにおいて対向する端部接着フラップであって、上側端部パネルフラップに接着されるべく構成されているものを含んでいる請求項１４に記載のブランク。
【請求項１６】
各上側防塵フラップセクションが、その接続されていない縁部から離隔させられているストラップ部を含んでおり、ストラップ部は、それと結び付いている下側防塵フラップセクションに第１のストラップ折曲げ線を介して接続されている請求項１４に記載のブランク。
【請求項１７】
各上側防塵フラップセクションのストラップ部が、前記セクションの接続されていない縁部から欠切部を介して離隔させられている請求項１６に記載のブランク。
【請求項１８】
ストラップ部が、上側防塵フラップセクションに第２のストラップ折曲げ線を介して接続されており、ストラップ部は、第１のストラップ折曲げ線と第２のストラップ折曲げ線との中間の第３のストラップ折曲げ線を含んでいる請求項１７に記載のブランク。
【請求項１９】
上部パネルフラップに接続されている側部パネルセクションが、側部パネルセクションを上部パネルフラップに接続している折曲げ線から離隔させられている切込み線を含んでおり、前記切込み線は、それと結び付いている上側防塵フラップセクションを通って延在しており、前記切込み線は、上部パネルフラップの幅と底部パネルセクションの幅とが異なっているにも拘わらず、ブランクが、扁平な畳まれた形に折り畳まれることを可能にする請求項１４に記載のブランク。
【請求項２０】
物品キャリヤを形成するためのブランクであって、
対向している側部パネルセクションに折曲げ線を介して接続されている底部パネルセクション、
を具備しており、
側部パネルセクションのうちの一方は、上部パネルフラップに折曲げ線を介して接続されていると共に、反対側の側部パネルセクションは、上部パネルフラップの幅と実質的に同じ幅の上部パネル補強フラップに折曲げ線を介して接続されており、
上部パネル補強フラップは、対向している端部接着フラップであって、ブランクから形成されるキャリヤにおける上側端部パネルフラップに接着されるべく構成されているものを含んでいる、
ブランク。
【発明の詳細な説明】
発明の分野
本発明は、飲料びんのような物品をパッケージするためのスリーブ型キャリヤに関する。より具体的には、本発明は、側部パネル及び端部パネルの両方にテーパーを付されているスリーブ型キャリヤに関する。
発明の背景
スリーブ型キャリヤは、通常、一方の端部における側部パネルセクションと、他方の端部における底部パネルセクション又は上部パネルセクションとを有する細長いブランクから製造される。ブランクは、端にあるセクションを折り畳み且つ端にあるセクションのうちの一方のセクションにおける接着フラップを介してそれらを互いに接着することにより、扁平なチューブにされる。その後、この扁平なチューブであって、畳まれたキャリヤとしばしば呼ばれるものは、パッケージング工場に運ばれ、チューブの形に起立させられ、パッケージされつつある物品で満たされ、そして、その端部を閉じられる。キャリヤの端部パネルは、通常、上部パネル及び底部パネルに接続されている端部フラップであって、側部パネルから折り込まれる防塵フラップに接着されるものから形成されている。
びんがスリーブ型キャリヤ内にパッケージされる際、端部パネルの上側部分は、しばしば、びんの形状にぴったりと一致させるべく、上部パネルに向かって内方にテーパーを付される。この形状をもたらすべく、防塵フラップは、別体の上側セグメント及び下側セグメントとして形成され、あるいは、端にあるびんの肩部に隣接する箇所からの、防塵フラップの内方への折曲げを可能にする折曲げ線を設けられる。
側部パネルも上部パネルに向かってテーパーを付される場合には、より困難な設計上の問題が生ずる。防塵フラップの上側部分が、傾斜した側部パネル部分に接続されるので、防塵フラップは、それらの最終的な位置に折り曲げられると、しわが寄ったり、こぶになったりする傾向がある。種々のタイプの接続具が用いられてきたが、いずれの接続具も、側部パネルから端部パネルへの視覚的にスムースな遷移部をキャリヤが有することを可能にしつつ、所定の場所へ容易に折り曲ることはなかった。
スムースな外観を提供し、パッケージされたびんを所定の場所にしっかりと保持することが可能であり、しかもパッケージング装置で容易に且つ急速に形成され得る、テーパーを付されたキャリヤを提供することは、非常に望ましいであろう。従って、これらの規準に適合するキャリヤを提供することが、本発明の目的である。
発明の簡単な概要
本発明のキャリヤの側部パネル及び端部パネルの上側部分は、飲料びん又は他のテーパーを付されている物品をぴったりとパッケージすべく、内方にテーパーを付されている。好適に、キャリヤは、パッケージのコーナー領域における締り嵌めをもたらすための、湾曲したコーナー部又は面取りされたコーナー部を有している。端部パネルは、上側防塵フラップセクション及び下側防塵フラップセクションに接着される、上側端部パネルフラップ及び下側端部パネルフラップで構成されている。各上側防塵フラップセクションは、折曲げ線を介し、それと結び付いている側部パネルのテーパーを付された部分に接続されていると共に、それと結び付いている下側防塵フラップセクションの上縁部に隣接しているが、その上縁部から分離している低縁部を有している。両方の縁部は、それらと結び付いている側部パネルから延出している。この構成は、上側防塵フラップセクションが、テーパーを付された端部パネル部分内に位置することを可能にする。各上側防塵フラップセクションの低縁部は、その低縁部の少なくとも一部が、それと結び付いている下側防塵フラップセクションの背後に位置させられるようにして、それと結び付いている下側防塵フラップセクションの上縁部に対して好適に下方に傾けられるので、キャリヤのコーナー領域は、上側防塵フラップセクションと下側防塵フラップセクションとの間の継ぎ目に、実質的にスムースに連続した外観をもたらす。
本発明の一実施例においては、各上側防塵フラップセクションは、その上側防塵フラップセクションの低縁部から離隔したストラップ部を含んでいる。ストラップ部は、上側防塵フラップセクションが上述のように傾けられることを可能にしつつ、下側防塵フラップセクションへの接続部を提供する。
本発明の他の側面においては、上部パネルは、上層と下層とで構成されており、下層は、上側端部パネルフラップの下側に接着される端部接着フラップを含んでいる。これは、後述するように、潜在的な突起を排除することにより、キャリヤ内へのびんの導入を容易にする。
キャリヤを形成するのに使用されるブランクは、起立させられる前の扁平な畳まれたキャリヤへとブランクが折り畳まれることを可能にすべく、側部パネルセクションのうちの一方に作業用の切込み線を設けられ得る。
本発明のこれらの及び他の特徴及び側面は、後述する好適な実施例の詳細な説明から容易に確かめられよう。
【図面の簡単な説明】
図１は、本発明を取り入れている、完全に閉じられたスリーブ型キャリヤの絵画図である。
図２は、図１のキャリヤを形成するためのブランクの平面図である。
図３は、図２のブランクの円３内の部分の拡大平面図である。
図４は、図２のブランクから形成された、畳まれたキャリヤの平面図である。
図５は、端部パネル形成の中間段階で示されているキャリヤの端面図である。
図６は、図５に示されている形式段階におけるキャリヤの部分側面図である。
図７は、本発明のキャリヤの他の実施例を形成するためのブランクの平面図である。
図８は、図７のブランクの円８内の部分の拡大平面図である。
図９は、図７のブランクから形成された、畳まれたキャリヤの平面図である。
図１０は、形成の中間段階で示されている。図７のブランクから形成されたキャリヤの部分端面図である。
図１１は、図７のブランクから形成されたキャリヤの部分縦断面図であって、明瞭化の目的でびんが除去されている状態で示されているものである。
図１２は、本発明のキャリヤの他の実施例を形成するためのブランクの部分平面図である。
図１３は、図１２のブランクから形成されたキャリヤの部分絵画図である。
好適な実施例の詳細な説明
図１を参照するに、キャリヤ１０は、各々が４本のびんからなる、３つの当接している列に配置されている１２本の飲料びんを運ぶべく設計されているスリーブ型キャリヤである。それは、対向している側部パネル１２を備えており、これらの側部パネルは、上部パネル１４と、底部パネルであってその湾曲した縁部１５がこの図において視認可能であるものとに、折り曲げ可能に接続されている。また、キャリヤは、上側端部パネルフラップ１８及び下側端部パネルフラップ２０によって形成されている端部パネル１６を含んでおり、それらの上側端部パネルフラップ及び下側端部パネルフラップは、上側防塵フラップセクション２２及び下側防塵フラップセクション２４に接着されていると共に、互いに接着されている。上側防塵フラップセクション２２は、斜めの折曲げ線２６を介して側部パネルに接続されている一方、下側防塵フラップセクション２４は、側部パネルの延長部である。一連の離隔した切込み線２８が、側部パネルから下側防塵フラップセクション内に延在しており、これらの切込み線は、下側防塵フラップセクションが、パッケージ内のコーナーにある、それらと隣接するびんの本体の周りでぴったりと湾曲することを可能にする。上側防塵フラップセクションと下側防塵フラップセクションとの関係は、それらが、スムースな、ぴったりとした、実質的に連続するコーナー部の構造であって、所望されている外観であるものを提供するようなものである。この関係は、以下に十分に説明する態様において得られる。
側部パネル内の切込み線３０が、隣接するびんの列内のびんの肩部に本質的に隣接しており、これらの切込み線は、側部パネルのテーパーを付されている上側部分３２を形成すべく、側部パネルが内方に折れ曲ることを可能にする。また、作業用切込み線３３が、後に説明する目的で、テーパーを付されている上側部分３２に存在している。フラップ３５によって覆われ得る、上部パネル内の取手用開口部３４は、キャリヤを持ち上げるための取手を提供する。底部パネルは、必然的に、上部パネルよりも長く且つ幅広であり、もって、側部パネル及び端部パネルのテーパー構造が、可能になると共に、びんの幅広の本体部分がキャリヤの下側直交部分内にぴったりと嵌まることが、可能になる。
図１において使用されている参照数字と同様の参照数字は同様の要素を表している図２を参照するに、キャリヤがそれから形成されるところのブランク３７は、中央に位置する底部パネルセクション３６を備えており、この底部パネルセクションは、両側部において折曲げ線３８を介して側部パネルセクション１２に接続されている。底部パネルセクションの左側の側部パネルセクションは、折曲げ線４０を介して上部パネルセクション１４に接続されている一方、他方の側部パネルセクションは、折曲げ線４２を介して上部パネル補強フラップ４４に接続されている。上部パネル補強フラップは、上部パネルセクション１４内の取手用開口部３４と同様の取手用開口部４６を含んでいる。上部パネルセクション１４の場合のように、取手用開口部は、所望されるならば、フラップ４７で覆われ得る。上側端部パネルフラップ１８が、折曲げ線４８を介して上部パネルセクション１４の端部に接続されている。折曲げ線５０は、下側端部パネルフラップ２０を、底部パネルセクション３６の両端部に接続している。
図３に最も良く示されているように、上側防塵フラップセクション２２は、隣接する上側端部パネルフラップ１８から僅かに離隔させられていると共に、スリット５２によって下側防塵フラップ２４から離隔させられている。上側防塵フラップセクション２２を側部パネルの上側部分３２に接続する折曲げ線２６は、折曲げ線４０の端部から、それと結び付いている切込み線３０上の地点へと、内方に傾斜させられている。外方に傾斜させられている折曲げ線５４は、折曲げ線２６の端部に隣接する地点から上側防塵フラップセクション２２の外側縁部まで延在している。上側防塵フラップの外側縁部は、図面には示されていないパッケージング装置の要素を通過させることを可能にするため、階段状に凹まされている。しかしながら、階段状縁部構造は、キャリヤパッケージが形成された後は、何ら機能を有さない。更に、切込み線３３は、折曲げ線５６として、上側防塵フラップセクション２２を横切るようにして連続している。
ブランクから扁平な畳まれたキャリヤを形成すべく、上部パネル補強フラップ４４と、隣接する側部パネルセクション１２とを含む、ブランクの右端部における部分が、それと結び付いている折曲げ線３８の所で折り畳まれる。次いで、上部パネルセクション１４と、隣接する側部パネルセクションの、折曲げ線４０及び折曲げ線３３の間の部分とが、１つのユニットとして、作業用切込み線３３及びそれと整合している折曲げ線５６の所で回動させられ、もって、上部パネルセクション１４は、折り畳まれた上部パネル補強フラップ４４と接触する。上部パネルセクションを上部パネル補強フラップに接着させるべく、これらの上部パネル領域のいずれかに、接着剤が塗布されていよう。結果的に得られる畳まれたキャリヤであって、パッケージング工場への出荷に適した、扁平にされているものが、図４に示されている。
当業界ではよく知られているように、畳まれたキャリヤは、端部折曲げ部３３及び３８に内側へ向かう圧力を加えることにより、起立させられる。この時点における、起立させられた開放端部キャリヤは、完全には直角を成していない。何故ならば、仮の切込み３３が、依然として作用しているからである。しかしながら、３列のびんの合計した幅は、側部パネルの下側の部分間の距離に等しいので、びん自体が、一方又は両方の開放端部を通して起立させられたキャリヤ内に挿入される際に、上部パネルが水平になって折曲げ線４０の所で折り曲がることを引き起こしつつ、側部パネルを本来の最終的な位置にする。この結果、作業用切込み３３は、開かせられ、そして、作業用切込みを含む側部パネルは、テーパーを付されてはいるが、本質的に平坦な形状を呈する。反対側の側部パネル上の切込み３３は、決して折り曲げられることはなく、そして、それが位置させられている側部パネルの上側部分は、テーパーを付され且つ本質的に平坦なままである。この反対側の切込み線は、パッケージを視覚的に対称にする目的で主として存在しており、所望されるならば、除去され得る。
キャリヤの端部を閉じるべく、各端部における防塵フラップセクションが、内方に折り曲げられると共に、下側端部パネル２０が、下側防塵フラップセクション２４に接着される。この段階におけるキャリヤが、図５及び図６に示されている。下側防塵フラップセクション２４は、切込み線２８のいずれの所においても過度には折り曲げられず、その代わり、コーナーにある、隣接するびんの本体部分の湾曲した輪郭に従う。一連の切込み線２８は、このスムースな湾曲構成を容易にする。防塵フラップセクションの折り曲げは、上側防塵フラップセクション２２が折曲げ線２６の所で部分的に折り曲げられることを引き起こすであろう。折曲げ線２６が、下側防塵フラップセクション２４の切込み線２８に対して下方に傾斜させられているので、上側防塵フラップセクション２２の下部は、下側防塵フラップセクション２４の上部の背後で沈み込まされる。この関係が、図５及び図６に、上側防塵フラップセクション２２の下縁部５８であって、下側防塵フラップセクション２４の上縁部６０の背後に且つそれに対して斜めに位置させられているものを示す点線によって示されている。ブランク内のスリット５２によって形成されていた、これらの縁部は、キャリヤブランクにおいて、最初は互いに隣接していたものである。端部パネルの形成を完成すべく、上側端部パネルフラップ１８が、下方に折り曲げられると共に、下側端部パネルフラップ２０と上側防塵フラップセクション２２と下側防塵フラップセクション２４とが重なっている部分に接着され、もって、図１に示されている形態が、形成される。この工程の間、上側端部パネルフラップ１８は、上側防塵フラップセクション２２の端部を、それらを中間の折曲げ線５４の所で内方に折り曲げつつ、端にあるびんの首部分に向かって押す。
結果的に得られるキャリヤは、パッケージ全体が極めてスムースであり且つぴったりとしている。下側防塵フラップセクション２４及び下側端部パネルフラップ２０は、隣接するびんの本体部分と接触している一方、上側防塵フラップセクション２２及び上側端部パネルフラップ１８は、隣接するびんの肩部及び頂部と接触している。上側防塵フラップセクションにおける折曲げ線５６は、パッケージにおいては機能しないが、ブランクが上述した畳まれたキャリヤに折り畳まれることを可能にするために存在している、ということに留意されたい。下側防塵フラップセクションの上部の背後への、上側防塵フラップセクションの下部の配置は、キャリヤの表面に間隙を残すことなく、びんの肩部の重要な領域における２つの防塵フラップ間にスムースな屈折面を生成する。この結果、キャリヤの表面は、破断されていないように見え、パッケージに質の高い外観を与える。キャリヤは、キャリヤ形成の応力と、完成させられたキャリヤがその後の取扱いにおいてさらされるところの過酷さとに耐えるに十分な強度を有する、どのような適切な可撓性材料からでも構成され得るが、それは、キャリヤ業界で一般的に採用されているタイプの板紙から形成されるのが好ましい。
上部パネルの２層構造は、キャリヤのこの重要な領域に、かなりの強度を付加すると同時に、取手領域を強化する。しかしながら、この実施例において、キャリヤのその他の機能的な側面は維持しつつ、ブランクによって要求される材料の量を減少させることが望まれるならば、上部パネル補強フラップは、簡単な短い接着フラップで置き換えられ得るということが、理解されよう。
図１のパッケージと同じ外観を有するパッケージを形成する他のブランクが、図７に示されており、この図７においては、第１実施例における要素と同様の要素は、同様の参照数字によって示されている。ブランク６２は、２つの領域、上部パネル補強フラップと上側防塵フラップセクションとを除いて、図２のブランク３７と同様である。この実施例においては、接着フラップ６４が、折曲げ線６６を介して上部パネル補強フラップ４４の両端部に接続されている。また、上側防塵フラップセクション６８は、下側防塵フラップ８０から完全には分離しておらず、狭いストラップ部７０によって接続されている。
図８に最も良く示されているように、上側防塵フラップセクション６８は、第１実施例のように、折曲げ線２６を介して側部パネルセクション１２の上側部分３２に接続されている。また、内部の斜めの折曲げ線５４も、第１実施例における内部の折曲げ線５４と実質的に同一である。しかしながら、上側防塵フラップセクション６８は、幅広であると共に、ストラップ部７０を形成する欠切部７２を含んでいる。ストラップ部は、折曲げ線７４を介して下側防塵フラップセクション８０に接続されていると共に、折曲げ線７４から離隔させられ且つそれに対して幾分傾斜させられている折曲げ線７６と、折曲げ線７６から離隔させられ且つそれに対して幾分傾斜させられている折曲げ線７８とを更に含んでいる。両方の折曲げ線７６及び７８は、欠切部７２から上側防塵フラップセクション６８の縁部まで延在している。下側防塵フラップセクション８０は、第１実施例の下側防塵フラップセクション２４と本質的に同一であるが、ストラップ部７０へのそれらの接続部を供給すべく、それらも、幾分幅広である。欠切部７２と折曲げ線２６との間の、上側防塵フラップセクションの部分は、第１実施例におけるスリット５２と同様のスリット５２により、下側防塵フラップ８０から分離させられている。
図９に示されている、畳まれたキャリヤは、上部パネル補強フラップ４４の接着フラップ６４が上側端部パネルフラップ１８に接着されるということを除いて、第１実施例と同一の方法で形成される。畳まれたキャリヤは、上述のように、開かれ且つパッケージされつつあるびんで満たされ、次いで、防塵フラップセクションが、内方に折り曲げられ、そして、下側端部パネルフラップ２０が、上方に折り曲げられて下側防塵フラップセクション８０に接着される。その結果としての部分的に形成されたキャリヤが、図１０に示されている。開放されているキャリヤ端部を通してびんが挿入される際に、びんのキャップの頂面が、接着フラップ６４の折曲げ部６６を通過して摺動するということに、留意されたい。これが、びんのキャップの頂面が上部パネル補強フラップ４４の端縁部を通過して摺動しなければならないところの第１実施例と著しく異なっているところである。この相違をより良く視認すべく、図１０が、図５と比較され得る。従って、びんは、それらが第２実施例の起立させられたキャリヤ内へ移動する際に、余り引っ掛からなくなるであろう。
引き続いて図１０を参照するに、下側防塵フラップ８０によって移動させられた結果としての部分的に閉じられた位置にある上側防塵フラップセクション６８が、示されている。第１実施例のように、フラップ６８は、下方に傾けられている折曲げ線２６に沿って折り曲げられている。上側防塵フラップセクションの外端部が、下側防塵フラップセクションの隣接する上縁部よりも下方に移動すべく、接続されていなくて自由であるところの第１実施例とは異なり、上側防塵フラップセクション６８の外端部は、それと結び付いている下側防塵フラップセクションに折曲げ線７４を介して接続されている。上側防塵フラップセクション６８が折曲げ線２６の所で折り曲げられる際には、ストラップ部７０は、撓まなければならず、そして、折曲げ線７６の所で内方に折り曲ることにより、そのようにする。その次の、上部パネル１４の所定位置への折曲げは、折曲げ線７４と折曲げ線７６との間のストラップ部が下側防塵フラップ８０に当接する位置へと下方に回動することを引き起こしつつ、上側防塵フラップセクション６８を、それらの最終位置へと更に内方且つ下方に押す。この最終的な端部パネルの構成が、種々の端部パネル要素相互間の関係を示す図１１に示されている。種々のフラップ及びパネルをより良く示すため、板紙の厚さが誇張されているということに、留意されたい。しかしながら、実際のキャリヤにおいては、上側端部パネルフラップ１８の僅かな凹部は、殆ど気が付かないであろうし、また、上側端部パネルフラップ１８と上側防塵フラップのストラップ部７０との間の間隙は、無視し得るであろう。スリット５２によって形成されている、上側防塵フラップセクション及び下側防塵フラップセクションの縁部は、図１０に描写されている箇所で依然として当接している一方、上側防塵フラップセクションの、キャリヤにおけるその最終位置への連続的な折り曲げは、上側防塵フラップセクションの接続されていない下縁部が、第１実施例の対応する縁部と同一の態様で、下側防塵フラップセクションの接続されていない上縁部の背後で下方に摺動することを引き起こし、もって、同様のコーナー部の外観が、形成される。
更に変更されたブランク８２の部分が、図１２に示されている。第２実施例のように、接着フラップ６４が、上部補強フラップ４４に接続されていると共に、上側防塵フラップ６８が、設けられている。しかしながら、下側防塵フラップセクションを、側部パネルに、湾曲したコーナー部を生成するための一連の切込み線を介して接続するのに代えて、下側防塵フラップセクション８４は、面取りパネル８８に折曲げ線８６を介して接続されている。そして、面取りパネルは、側部パネルに折曲げ線９０を介して接続されている。この構造において、底部パネルセクション３６のコーナー領域は、傾斜縁部９２によって形成されている。
ブランクは、第２実施例との関係において説明したようにして、畳まれたキャリヤに製造され、そして、起立させられる。しかしながら、この場合、図１３に示されている完成したキャリヤにおいて、キャリヤのコーナー領域における面取りパネル８８は、びんを所定の場所にぴったりと保持すべく、コーナーにあるびんに当接する。底部パネルの傾斜縁部９２は、コーナーにある、それらに隣接するびんの底が面取りパネルに隣接する底部パネルの端部まで延在することを可能にする、所定の形状になっている。上側防塵フラップセクションが、隣接する面取りパネルの上部の背後で所定の位置へと移動するのをより良く可能にすべく、上側防塵フラップセクション６８内の欠切部は、図１２に示されているように、第２実施例における欠切部よりも僅かに長い。丸いコーナー部に代えて面取りされたコーナー部を有することを除いて、図１３のキャリヤは、他の全ての面において、本発明の第２実施例と一致する。
図示されていないが、持ち上げる際の応力を、キャリヤのより頑丈なコーナー領域に割り当てるべく、上部パネルは、取手開口部からキャリヤのコーナー部まで延在する応力除去切込み線を設けられ得る。パッケージを更に頑丈にすべく、同じことが、上部パネル補強フラップになされ得る。
本発明は、パッケージされる飲料びんの本体部分及び首部分の両方にぴったりと合うキャリヤであって、端部パネルが形成される際に、上側防塵フラップセクションが正しい位置へ自動的に移動する、ものを提供するということが、理解されよう。本発明のキャリヤは、１２本のびんをパッケージするスリーブ型キャリヤとの関連で記載されたが、それは、テーパーを付されている他のタイプの物品及び他の数の物品をパッケージすべく変更され得るということが、理解されよう。更に、好適な実施例との関連で記載された全ての特定の詳細に本発明は限定されないということ、並びに、好適な実施例のある特徴への変更であって本発明の全ての基本的な機能及び概念を変更しないものが考えられるということが、理解されるべきである。
【図１】
0003703849.tif 000002
【図５】
0003703849.tif 000003
【図６】
0003703849.tif 000004
【図１１】
0003703849.tif 000005
【図２】
0003703849.tif 000006
【図３】
0003703849.tif 000007
【図４】
0003703849.tif 000008
【図８】
0003703849.tif 000009
【図９】
0003703849.tif 000010
【図７】
0003703849.tif 000011
【図１０】
0003703849.tif 000012
【図１２】
0003703849.tif 000013
【図１３】
0003703849.tif 000014